(57)【要約】【課題】使用者による無意識のレバーハンドルの開操作によって湯が無駄に消費されてしまう問題を解決することのできる壁付のシングルレバー混合水栓を提供する。【解決手段】固定弁体７８と、固定弁体７８上を摺動する可動弁体とを内蔵した水栓本体が垂直な取付面に対して固定弁体７８の摺動面７９が略平行をなす状態に取り付けられる壁付のシングルレバー混合水栓１０において、固定弁体７８の水流入孔９４と湯流入孔９６との上下の位置を異ならせることで、レバーハンドルが真下向きとなる位置でこれを開操作したときに水が吐水されるようになしておく。【選択図】        図６
2012112183.tif 000002
【特許請求の範囲】
【請求項１】
水流入孔及び湯流入孔を有する固定弁体と、該固定弁体上を摺動する可動弁体とを内蔵した水栓本体が、垂直な取付面に対して前記固定弁体の摺動面が略平行をなす状態に取り付けられ、レバーハンドルの前後方向の操作により弁開閉を行って吐止水と吐水の流量調節とを行い、左右方向の回動操作により前記水流入孔と湯流入孔との開度を互いに大小逆の関係で変化させて吐水の温度調節を行う壁付のシングルレバー混合水栓において、
前記水流入孔と湯流入孔との上下の位置を異ならせることで、前記レバーハンドルが真下向きとなる位置を基準位置として、該レバーハンドルにおける水吐水の操作位置と湯吐水の操作位置とが前記左右方向において非対称の位置となしてあることを特徴とする壁付のシングルレバー混合水栓。
【請求項２】
請求項１において、前記水吐水の操作位置が前記湯吐水の操作位置よりも下位置であることを特徴とする壁付のシングルレバー混合水栓。
【請求項３】
請求項２において、前記湯流入孔の位置が前記水流入孔の位置よりも高位置となしてあることを特徴とする壁付のシングルレバー混合水栓。
【請求項４】
請求項１〜３の何れかにおいて、前記取付面の裏側には前記水栓本体に水，湯をそれぞれ供給する給水管及び給湯管が該水栓本体の軸線と交差する方向に該取付面に沿って配管してあって、該給水管，給湯管が該水栓本体における該取付面の裏側位置の配管接続部の水側接続口，湯側接続口にそれぞれ接続してあり、
該配管接続部には、前記取付面の裏側を該取付面に沿って延びた後屈曲して該取付面の側へと向かう水側及び湯側の内部流路が前記水側接続口，湯側接続口に続いて設けてあり、
該水側の内部流路の流出開口が前記水流入孔に、前記湯側の内部流路の流出開口が前記湯流入孔に各対応する高さ位置に、それぞれ高さを異ならせて配置してあることを特徴とする壁付のシングルレバー混合水栓。
【請求項５】
請求項１〜４の何れかにおいて、前記取付面を有する壁の裏面と前記水栓本体との一方には位置決め用の凸部が、他方には該凸部に凹凸嵌合する、対応した凹部が設けてあることを特徴とする壁付のシングルレバー混合水栓。
【発明の詳細な説明】
【技術分野】
【０００１】
この発明は、固定弁体及び固定弁体上を摺動する可動弁体を備えたシングルレバー混合水栓、特に壁付のシングルレバー混合水栓に関する。
【背景技術】
【０００２】
従来、混合水栓として、水流入孔及び湯流入孔を有する固定弁体と、固定弁体上を摺動する可動弁体とを水栓本体に内蔵し、レバーハンドルの起伏方向の操作により弁開閉を行って吐止水と吐水の流量調節とを行い、起伏方向と直角方向の回動操作により水流入孔と湯流入孔との開度を互いに大小逆の関係で変化させて吐水の温度調節を行うようになしたシングルレバー混合水栓が広く用いられている。
このシングルレバー混合水栓として、水栓本体を縦の取付壁に対して横向きをなす状態に取り付けて成る壁付のシングルレバー混合水栓が公知である。
例えば下記特許文献１にこの種の壁付のシングルレバー混合水栓の一例が開示されている。
【０００３】
図１１はその具体例を示している。
同図において２００は水栓本体で、固定弁体２０２と可動弁体２０４とがそこに内蔵されている。
２０６は縦の取付壁で、水栓本体２００はこの縦の取付壁２０６に対し横向きをなす状態に取り付けられている。
２０８は、水栓本体２００の前部に設けられたレバーハンドルで、上記の可動弁体２０４はこのレバーハンドル２０８に対しレバー軸２１０を介して作動的に連結されている。
【０００４】
この種壁付のシングルレバー混合水栓では、レバーハンドル２０８を前後方向に操作すると、吐止水及び吐水の流量調節が行われ、またこれを紙面と直角方向に回動操作すると吐水の温度調節が行われる。
【０００５】
詳しくは、固定弁体２０２には水流入孔と湯流入孔とが設けられており、レバーハンドル２０８を前後に操作すると、可動弁体２０４が図中上下方向に直線上に摺動運動（スライド移動）して、水流入孔及び又は／湯流入孔の開度が増減変化せしめられて吐止水又は吐水の流量調節が行われ、またレバーハンドル２０８を紙面と直角方向に回動操作すると、可動弁体２０４が固定弁体２０２に対し紙面と直角方向に回転摺動して水流入孔，湯流入孔の開度が互いに大小逆の関係で変化せしめられて吐水の温度調節が行われる。
【０００６】
壁付の混合水栓では、従来、固定弁体の水流入孔と湯流入孔とが同じ高さ位置で使用者から見て左右に離隔して設けられており、従ってレバーハンドル２０８が使用者から見て真下向きの状態でこれを開操作すると、湯と水とが等量で混合された混合水が吐水される。
そしてこの状態からレバーハンドル２０８を右方向に一杯まで一定角度回動操作するとそこで水が吐水され、またレバーハンドル２０８を真下向きの位置から左方向に上記と同じ角度だけ一杯まで回動操作するとそこで湯が吐水される。
即ちレバーハンドル２０８における水吐水の操作位置と湯吐水の操作位置とは、レバーハンドル２０８の真下向きを基準位置としたとき、その基準位置に対して左右対称の位置となっている。
ここで水吐水領域及び湯吐水領域（レバーハンドル２０８の操作領域）はそれぞれ左右方向の微小領域に亘っており、そしてそれら水吐水領域，湯吐水領域の間の中間領域が混合水の吐水領域となる。
レバーハンドル２０８が真下向きとなる位置が丁度その混合水吐水領域の中立位置となる。
【０００７】
このようにレバーハンドル２０８が真下向きとなっている位置は使用者にとって操作し易く、使い勝手の良い位置であり、使用者が水栓を使用するとき通常は無意識でそのままレバーハンドル２０８を開操作する。
使用者が本来水を使用したいと思っていたときには、その状態からレバーハンドル２０８を右方向に一杯まで回動操作することとなる。
この場合、実際には使用者が水を出したいと思っていたにも拘らず湯と水とが等量混合した混合水、つまり水と同じだけの量で湯が吐水されてしまい、湯が無駄に使用されてしまう。
このことは省エネルギーの観点から望ましくない。
【０００８】
尚、本発明に関連する先行技術として下記特許文献２，特許文献３，特許文献４には使用者の無意識なレバーハンドルの開操作によって湯が無駄に消費されてしまうのを防止することを狙いとしたシングルレバー混合水栓が開示されている。
しかしながらこれら特許文献に記載のものは何れも台付きのシングルレバー混合水栓、即ち水栓本体が水平な取付面から起立する形態のシングルレバー水栓であるのに加えて、そこには本発明の解決手段について開示されておらず、本発明とは別異のものである。
【先行技術文献】
【特許文献】
【０００９】
【特許文献１】特開２００４−１５０２１７号公報
【特許文献２】特開２００８−８９０４６号公報
【特許文献３】特開２０１０−１８５５６９号公報
【特許文献４】特許第３２００５４０号公報
【発明の概要】
【発明が解決しようとする課題】
【００１０】
本発明は以上のような事情を背景とし、使用者による無意識のレバーハンドルの開操作によって湯が無駄に消費されてしまう問題を解決することのできる壁付のシングルレバー混合水栓を提供することを目的としてなされたものである。
【課題を解決するための手段】
【００１１】
而して請求項１のものは、水流入孔及び湯流入孔を有する固定弁体と、該固定弁体上を摺動する可動弁体とを内蔵した水栓本体が、垂直な取付面に対して前記固定弁体の摺動面が略平行をなす状態に取り付けられ、レバーハンドルの前後方向の操作により弁開閉を行って吐止水と吐水の流量調節とを行い、左右方向の回動操作により前記水流入孔と湯流入孔との開度を互いに大小逆の関係で変化させて吐水の温度調節を行う壁付のシングルレバー混合水栓において、前記水流入孔と湯流入孔との上下の位置を異ならせることで、前記レバーハンドルが真下向きとなる位置を基準位置として、該レバーハンドルにおける水吐水の操作位置と湯吐水の操作位置とが前記左右方向において非対称の位置となしてあることを特徴とする。
【００１２】
請求項２のものは、請求項１において、前記水吐水の操作位置が前記湯吐水の操作位置よりも下位置であることを特徴とする。
【００１３】
請求項３のものは、請求項２において、前記湯流入孔の位置が前記水流入孔の位置よりも高位置となしてあることを特徴とする。
【００１４】
請求項４のものは、請求項１〜３の何れかにおいて、前記取付面の裏側には前記水栓本体に水，湯をそれぞれ供給する給水管及び給湯管が該水栓本体の軸線と交差する方向に該取付面に沿って配管してあって、該給水管，給湯管が該水栓本体における該取付面の裏側位置の配管接続部の水側接続口，湯側接続口にそれぞれ接続してあり、該配管接続部には、前記取付面の裏側を該取付面に沿って延びた後屈曲して該取付面の側へと向かう水側及び湯側の内部流路が前記水側接続口，湯側接続口に続いて設けてあり、該水側の内部流路の流出開口が前記水流入孔に、前記湯側の内部流路の流出開口が前記湯流入孔に各対応する高さ位置に、それぞれ高さを異ならせて配置してあることを特徴とする。
【００１５】
請求項５のものは、請求項１〜４の何れかにおいて、前記取付面を有する壁の裏面と前記水栓本体との一方には位置決め用の凸部が、他方には該凸部に凹凸嵌合する、対応した凹部が設けてあることを特徴とする。
【発明の作用・効果】
【００１６】
以上のように本発明は、壁付のシングルレバー混合水栓において、固定弁体における水流入孔と湯流入孔との上下の位置を異ならせることで、レバーハンドルが真下向きとなる位置を基準位置として、その基準位置に対しレバーハンドルにおける水吐水の操作位置と湯吐水の操作位置とを左右方向において非対称の位置となしたものである。
【００１７】
本発明では、固定弁体における水流入孔と湯流入孔との上下位置を異ならせるようにしており、これによって上記の水吐水の操作位置と湯吐水の操作位置とを容易に非対称の位置とすること、つまり水吐水の操作位置と湯吐水の操作位置との一方を他方に対して下位置となすことができる。
【００１８】
特に水栓使用では水を吐水させることを目的としていることが多いことから、水吐水の操作位置を湯吐水の操作位置よりも下位置となしておくことができる（請求項２）。
この場合、使用者にとってより操作がし易く使い勝手の良い、レバーハンドルが下位置にある状態で、使用者が無意識にこれを開操作すると、水吐水若しくは湯の混合量の少ない混合水が吐水される。
この場合使用者の意図に反して湯が多く吐出されてしまい、湯が無駄に消費されてしまうのを防止ないし抑制することができる。
【００１９】
特にレバーハンドルが真下向きとなる位置を水吐水の操作位置としたとき、使用者が無意識にこれを開操作すると湯を含まない水のみが吐水され、この場合には湯の無駄な吐水を最も効果高く防ぐことができる。
【００２０】
上記請求項２に従って水吐水の操作位置を湯吐水の操作位置よりも下位置となす場合において、固定弁体における湯流入孔の位置を水流入孔の位置よりも高位置となしておくことができる（請求項３）。
このようにすることで容易に水吐水の操作位置を湯吐水の操作位置よりも下位置となすことができる。
【００２１】
次に請求項４は、水栓本体に水，湯をそれぞれ供給する給水管，給湯管を、取付面の裏側で水栓本体の軸線と交差する方向に取付面に沿って配管して、それぞれを水栓本体の取付面の裏側位置の配管接続部に接続するとともに、配管接続部には、取付面の裏側を取付面に沿って延びた後屈曲して取付面の側へと向う水側及び湯側の内部流路を設け、且つ水側の内部流路の流出開口を固定弁体における上記の水流入孔に、湯側の内部流路の流出開口を湯流入孔に各対応する高さ位置に、それぞれ高さを異ならせて配置したものである。
【００２２】
この請求項４によれば、従来同じ高さ位置となしてあった固定弁体の水流入孔と湯流入孔との高さ位置を異ならせた場合であっても、容易に且つ簡単な構造で水流入孔，湯流入孔に対して水，湯を供給することが可能となる。
【００２３】
またその際に給水管，給湯管を無理にねじった状態で配管施工しなくてもよく、それら給水管，給湯管がねじれ状態で配管施工され、そのことが施工不良に繋がるといった問題を回避することができる。
【００２４】
次に請求項５は、取付面を有する壁の裏面と水栓本体との一方に位置決用の凸部を、他方にその凸部に凹凸嵌合する、対応した凹部を設けたもので、この請求項５によれば、水栓本体を取付面に対し予め定めた位置に良好に位置決めした状態で取り付けることができる。
【図面の簡単な説明】
【００２５】
【図１】本発明の一実施形態の壁付のシングルレバー混合水栓を示した図である。
【図２】図１の水栓における配管接続部を給水管及び給湯管とともに示した図である。
【図３】図１における弁カートリッジの構成部材を周辺部材とともに分解して示した図である。
【図４】図１の弁カートリッジにおける固定弁体を示した図である。
【図５】図１における配管接続部及び弁カートリッジの各流路の位置関係を示した図である。
【図６】図１の組付状態の固定弁体を周辺部とともに示した図である。
【図７】図１における配管接続部を示した図である。
【図８】同実施形態の各種吐水状態における固定弁体と可動弁体との位置関係をレバーハンドルの回転操作位置とともに示した図である。
【図９】本発明の他の実施形態の図である。
【図１０】本発明の更に他の実施形態を示した図である。
【図１１】従来の壁付のシングルレバー混合水栓示した図である。
【発明を実施するための形態】
【００２６】
次に本発明の実施形態を図面に基づいて詳しく説明する。
図１において、１０は本実施形態の壁付のシングルレバー混合水栓（以下単に水栓とする）で、垂直に設けられた縦の取付壁１２に対し、詳しくは垂直な取付面１３に対し水栓本体１４が横向きをなす状態、詳しくはここではその軸線が取付壁１２に対し垂直方向を向く状態に取付壁１２に取り付けられている。
水栓本体１４は、取付壁（以下単に壁とする）１２に対し表側に位置する円筒形状の周壁１６を備えた主部１８と、壁１２の裏側に位置する配管接続部２０とが軸方向に分割されていて、それらが図中左右方向に組み付けられて構成されている。
【００２７】
詳しくは、主部１８と配管接続部２０とにはねじ結合部２２と２４とがそれぞれ設けられており、そのねじ結合部２２の外周面の雄ねじとねじ結合部２４の内周面の雌ねじとのねじ結合によって、主部１８と配管接続部２０とが結合されている。
配管接続部２０側のねじ結合部２４にはまた、外周面に雄ねじが形成されており、そこに固定ナット２６がねじ込まれている。
そしてこの固定ナット２６のねじ込みにより、配管接続部２０のフランジ部２８と固定ナット２６とで壁１２を表裏両側から挟み込む状態に、水栓本体１４が取付穴３２において壁１２に固定されている。
【００２８】
水栓１０は、水栓本体１４の前部（図中左部）にレバーハンドル３０を備えている。
この実施形態の水栓１０では、レバーハンドル３０を前後方向（図１中左右方向）に操作することで吐止水及び吐水の流量調節が行われ、また使用者から見て左右方向（紙面と直角方向）にこれを回動操作することで吐水の温度調節がなされる。
【００２９】
取付面１３の裏側、即ち壁裏位置の配管接続部２０には、図２及び図７にも示しているように水側接続口３４，湯側接続口３６が設けられており、そしてそれぞれに対して、水栓本体１４に水，湯を供給する可撓管から成る給水管３８，給湯管４０の各端部が接続されている。
【００３０】
配管接続部２０にはまた、水側及び湯側の内部流路４２，４４がそれぞれ水側接続口３４，湯側接続口３６に続いて設けられている。
給水管３８，給湯管４０を通じて送られて来た水，湯は、水側，湯側の内部流路４２，４４を通じて、配管接続部２０の底部５２で開口した流出開口５４，５６（図５参照）から水栓本体１４、詳しくはそこに内蔵された弁部へと供給される。
供給された水と湯とはその弁部において混合され、そして混合後の混合水が、配管接続部２０に設けられた流入開口１０６（図５参照）から混合水の内部流路４６（図２参照）に流出する。
【００３１】
配管接続部２０には、この内部流路４６の端部に混合水側接続口４８が設けられていて、そこに流出管５０の端部が接続されている。
内部流路４６に流出した混合水はこの流出管５０を通じて水栓１０の図示しない吐水口へと導かれる。
尚流出管５０は、ここでは銅管から成っており、その端部が接続口４８に溶接にて接合されている。
【００３２】
水栓本体１４の内部、詳しくは表側の主部１８における周壁１６と、配管接続部２０の底部５２とで構成されるハウジングの内部には弁カートリッジ５８が収納されている。
図において６０は弁カートリッジ５８におけるカートリッジケースで、このカートリッジケース６０は、図中左側の前部のケース本体６０-１と、図中右側の後部の底蓋６０-２との２分割構造とされており、それらが前後に組み合されてカートリッジケース６０を構成している。
【００３３】
底蓋６０-２は、図３にも示しているように後方に突出した一対の筒状部６２，６４と、脚６６とを有しており、図１にも示しているようにそれらの先端（図中右端）をハウジング底部、具体的には配管接続部２０の底部５２に当接させている。
【００３４】
図３に示しているように一方の筒状部６２の内部には水側の流入流路６８が形成されており、また他方の筒状部６４の内部には湯側の流入流路７０が形成されている。そして水側の流入流路６８，湯側の流入流路７０のそれぞれが、配管接続部２０に形成された上記の水側の内部流路４２，湯側の内部流路４４にそれぞれに連通せしめられている。
底蓋６０-２にはまた、水側の流入流路６８，湯側の流入流路７０とは別の位置において、混合水の流出流路７２が形成されている。
【００３５】
図１において、この流出流路７２の後側には、これに連通した水室７４が形成されており、流出流路７２から流出した混合水が、この水室７４を経て配管接続部２０の混合水の内部流路４６へと流出する。
【００３６】
底蓋６０-２の前面には、図３にも示しているように一対の流入流路６８，７０及び流出流路７２の各開口をそれぞれ取り巻くようにして、弾性を有する円筒状のシールリング７６が保持されており、これらシールリング７６によって、底蓋６０-２と後述の固定弁体７８との間が水密にシールされている。
【００３７】
図１に示しているように、カートリッジケース６０の内部には固定弁体７８と、その上面（前面）の摺動面７９を摺動する可動弁体８０とが収容されている。
ここで固定弁体７８と可動弁体８０とは、固定弁体７８の摺動面７９が取付面１３に対して略平行をなす状態に水栓本体１４内に収容されている。
尚固定弁体７８と可動弁体８０とは何れもディスクから成っている。
可動弁体８０は、駆動部８２を介してレバー軸８４に、更にはこのレバー軸８４を介してレバーハンドル３０に作動的に連結され、レバーハンドル３０によって可動弁体８０が移動せしめられるようになっている。
【００３８】
レバー軸８４の後端部は支持ピン８６を介して回転体８８に一体回転状態に連結されており、更にレバー軸８４には図３に示しているように一対のフォーク部９０が設けられていて、このフォーク部９０が、上記の駆動部８２の凹部９２内に係入されている。
【００３９】
而してレバー軸８４はレバーハンドル３０と一体に支持ピン８６周りに回動運動し、また回転体８８の回転軸線周りに回転体８８とともに回転運動し、レバーハンドル３０の操作を駆動部８２を介して可動弁体８０に伝えて、可動弁体８０を対応する方向に摺動運動させる。
【００４０】
具体的には、レバーハンドル３０が前後方向（図１中左右方向）に操作されると、可動弁体８０が図１中上下方向に直線状に摺動運動し、またレバーハンドル３０が使用者から見て左右方向（図１の紙面と直角方向）に回動操作されると、可動弁体８０が図１において紙面と直角方向に回転摺動する。
【００４１】
図４に示しているように、固定弁体７８には水流入孔９４と、湯流入孔９６と、混合水の流出孔９８とが板厚方向に貫通して設けられている。
ここで水流入孔９４，湯流入孔９６は、可動弁体８０側の形状がそれぞれ円弧形状をなしている。また流出孔９８は下部が略半円形状で、上部がこれよりも形状の大きな略扇形状をなしている。
一方水流入孔９４，湯流入孔９６，流出孔９８の、可動弁体８０とは反対側の形状は、図４（Ｂ）に示すように何れも円形状をなしている。
【００４２】
ここで固定弁体７８は、流出孔９８の左右方向の中心と、水流入孔９４及び湯流入孔９６の間の中心位置とを結ぶ中心線Ｐ１を対称軸として、左右対称形状をなしている。
即ち、水流入孔９４と湯流入孔９６とが中心線Ｐ１を対称軸として左右対称形状をなしており、また流出孔９８自体が中心線Ｐ１を対称軸としてその左右形状が対称形状をなしている。
【００４３】
図４に示す固定弁体７８は、従来シングルレバー水栓で広く用いられている公知の形状のものである。
この点は図１に示す可動弁体８０も同様である。
但しこの実施形態では、図６に示しているように中心線Ｐ１が鉛直線に対し、使用者から見た正面視において角度θＡだけ左方向（時計方向）に傾いた状態で、固定弁体７８が取り付けられている。従って湯流入孔９６は水流入孔９４に対し高位置に位置している。
【００４４】
またこれに伴ってカートリッジケース６０における上記の底蓋６０-２が、固定弁体７８の向きに合せて、軸線回りの角度位置が定められている。
【００４５】
つまり水側の流入流路６８の位置（詳しくは固定弁体７８側の開口）が水流入孔９４と対峙して位置し、また湯側の流入流路７０（詳しくは固定弁体７８側の開口）が湯流入孔９６に対峙して位置するように、更に混合水の流出流路７２（詳しくは固定弁体７８側の開口）が固定弁体７８における流出孔９８に対峙して位置するように、その向きが定められている。
【００４６】
更に可動弁体８０は、レバーハンドル３０が左右の全回動範囲の丁度中央に位置したときに、可動弁体８０における左右の中心線Ｐ２（図８参照）が、固定弁体７８における中心線Ｐ１と合致するように、その向きが定められている。
【００４７】
図１において、固定弁体７８の上面（前面）の摺動面７９を摺動する可動弁体８０には、図８に示すように固定弁体７８における水流入孔９４と湯流入孔９６との両方又は何れか一方を流出孔９８に連通させる連通開口１００が、可動弁体８０を板厚方向に貫通して設けられている。
【００４８】
水流入孔９４，湯流入孔９６を通じて流入した水と湯とは、図１の駆動部８２に形成された混合室１０２を経由し、混合水となって流出孔９８から底蓋６０-２に設けられた流出流路７２へと流出する。
尚、可動弁体８０とその駆動部８２との間には、それらの間を水密にシールする弾性を有するシールリング（Ｏリング）１０４が設けられている。
ここで可動弁体８０の連通開口１００は、図８に示しているように部分円形状をなす第１部分１００-１と、部分矩形状をなす第２部分１００-２とを有する概略鍵穴形状をなしている。
【００４９】
図８は水吐水，混合水吐水，湯吐水のときの固定弁体７８と可動弁体８０との位置関係を、レバーハンドル３０の回動操作位置とともに表している。
図８（ロ）（Ｃ）は、レバーハンドル３０が鉛直方向、つまり使用者から見て真下向きとなっている位置（これを基準位置Ｘ（図８（イ）参照）とする）にあるときの状態を表している。
図８（ロ）（Ｃ）において、Ｑはレバーハンドル３０の中心線を表しており、このとき可動弁体８０の中心線Ｐ２（可動弁体８０は中心線Ｐ２を対称軸として左右対称形状をなしている）もレバーハンドル３０の中心線Ｑと同方向、つまり使用者から見て真下向きとなる位置に位置している。
【００５０】
この実施形態では、図８（イ）に示すようにレバーハンドル３０が真下向きとなる基準位置Ｘから左方向に角度α（ここではα＝９０°）回動可能で、基準位置Ｘから角度θ２の範囲が水吐水領域，その水吐水領域から角度θ１の範囲が混合水吐水領域，更にその混合水吐水領域から角度θ３の範囲内が湯吐水領域をなしている。
【００５１】
ここでは水吐水領域の角度θ２，湯吐水領域の角度θ３がそれぞれ５°に設定してあり、そしてレバーハンドル３０の全回動範囲であるα＝９０°から水吐水領域のθ２と湯吐水領域のθ３とを除いた角度θ１＝８０°が混合水吐水領域として設定してある。
【００５２】
図８（ロ）（Ｂ）は、レバーハンドル３０を使用者から見て真下向きとなる基準位置ＸからθＡ＝４５°左方向に回動させたときの状態を表しており、このときレバーハンドル３０は、左右方向の全回動範囲の丁度中央、つまり混合水吐水領域の丁度中央の中立位置に位置した状態にあり、この状態でレバーハンドル３０を止水状態から前方向に開操作すると、図８（ロ）（Ｂ）の下段に示しているように可動弁体８０の連通開口１００が、固定弁体７８における水流入孔９４と湯流入孔９６とに対して等しく重なった状態となり、従ってこの状態では水と湯とが等量で連通開口１００内に流入して、その混合水が図示を省略する吐水口から吐水される。
【００５３】
この状態からレバーハンドル３０を混合水吐水領域内で左右方向に回動操作すると、水流入孔９４，湯流入孔９６におけるそれぞれの開度が互いに大小逆の関係で変化し、これに応じて吐水口から吐水される混合水の温度が変化する。
【００５４】
そして混合水吐水領域を超えてレバーハンドル３０を右方向に一杯まで回動操作すると、即ちレバーハンドル３０が真下向きとなる基準位置Ｘまで回動操作すると、ここにおいて水流入孔９４だけが可動弁体８０の連通開口１００に連通した状態、詳しくは連通開口１００を介して固定弁体７８の流出孔９８に連通した状態となり、水流入孔９４からの水のみが流出孔９８から流出し、吐水口から吐水（水吐水）される。
【００５５】
逆にレバーハンドル３０を、混合水吐水領域を超えて左方向に一杯まで回動操作すると、図８（ロ）（Ａ）に示しているように今度は湯流入孔９６だけが可動弁体８０の連通開口１００に連通した状態、詳しくは連通開口１００を介して固定弁体７８の流出孔９８に連通した状態となり、ここにおいて湯流入孔９６からの湯だけが流出孔９８を通じて流出し、吐水口から吐水（湯吐水）される。
水流入孔９４，湯流入孔９６，可動弁体８０における連通開口１００の形状が予めそのように定められている。
【００５６】
この実施形態では、レバーハンドル３０を使用者にとって最も使い易い位置である真下向きの基準位置Ｘに位置させた状態でこれを開操作すると、図８（ロ）（Ｃ）に示しているように水流入孔９４だけが開かれて吐水口から水吐水される。即ちこのときには湯を含まない水だけが吐水される。
【００５７】
この実施形態では、図１及び図２に示しているように給水管３８及び給湯管４０が、壁１２の裏側において壁１２に沿って、つまり取付面１３に沿って水栓本体１４の軸線と交差する方向、具体的にはここでは直交する方向に配管されている。
これに対応して図１，図２及び図７に示しているように、配管接続部２０の上記の水側接続口３４，湯側接続口３６が図中下向きに開口する形態で設けられている。
またこれら水接続口３４，湯接続口３６に続く水側，湯側の内部流路４２，４４のそれぞれが、次のような流路構成とされている。
【００５８】
具体的には、水側の内部流路４２は配管接続部２０の内部を図中上向き、即ち水栓本体１４の軸線と直交する方向に延びる縦流路４２-１と、これから直角に折れ曲って水栓本体１４の軸線方向に延び、弁部側に向う横流路４２-２とを有する屈曲形状をなしている。
そしてその横流路４２-２の先端の流出開口５４（図５参照）が、底蓋６０-２における水側の流入流路６８と対峙し、合致する位置に位置せしめられている。
【００５９】
同様に、湯側の接続口３６に続く湯側の内部流路４４もまた図中上向き、即ち水栓本体１４の軸線と直交する方向に延びる縦流路４４-１と、これに続いて水栓本体１４の軸線方向に延び、弁部側に向う横流路４４-２とを有する、直角に屈曲した形の流路をなしており、そしてその先端の流出開口５６（図５参照）が、底蓋６０-２における湯側の流入流路７０に対峙する位置、即ち合致する位置に位置せしめられている。
【００６０】
つまりこの実施形態では、水側の内部流路４２の流出開口５４が、固定弁体７８における水流入孔９４と同じ高さ位置に、また湯側の内部流路４４の流出開口５６が、固定弁体７８における湯流入孔９６と同じ高さ位置に位置せしめられている。即ち湯側の内部流路４４の流出開口５６が、水側の内部流路４２の流出開口５４よりも高位置に位置せしめられている。
そしてこれに対応して、湯側の内部流路４４における縦流路４４-１が、水側の内部流路４２における縦流路４２-１よりも長く形成してある。
【００６１】
本実施形態において配管接続部２０は金属製のもので、この配管接続部２０は次のようにして容易に製造することができる。
具体的には、金属素材を鍛造成形して先ず配管接続部２０の基本形状を構成し、その後に内部流路４２，４４及び４６を切削加工することで、それら内部流路４２，４４，４６を有する配管接続部２０を構成することができる。
【００６２】
ここで内部流路４２，４４は、その形状が直角に折れ曲った形状をなしているため、互いに直交する２方向から切削加工を施すことで、容易に内部流路４２，４４を形成することができる。
内部流路４６についても同様で、この内部流路４６は、図２に示しているように水栓本体１４の軸線と直交する水平方向に延びる横流路４６-１と、これから直角に折れ曲って水栓本体１４の軸線方向に延び、弁部側に向う横流路４６-２とからなる直角に折れ曲った形状をなしており、内部流路４２，４４と同じく互いに直交する２方向から切削加工を施すことで形成することができる。
そしてこのようにすることで、水栓本体１４の軸線即ち固定弁体７８の軸線に対し直交する給水管３８，給湯管４０からの水と湯とを、高さ位置が上下に異なった固定弁体７８の水流入孔９４と湯流入孔９６に対して円滑に供給することができる。
【００６３】
因みに前記の特許文献２に開示のシングルレバー混合水栓では、給水管，給湯管の配管の向きが、固定弁体の軸線の向きと同じ向きであるため、固定弁体の水流入孔と湯流入孔の各位置に給水管，給湯管の水栓本体に対する接続位置を合せてしまうと配管がねじれを生じることから、これを防ぐためにこの特許文献２に開示のものでは、各配管の接続口の位置はそのままとして、それら接続口と固定弁体の水流入孔，湯流入孔とを繋ぐ内部流路を複雑に屈曲させている。この場合水栓本体の加工が非常に困難となる。
【００６４】
しかるにこの実施形態では、そのような問題を生じることなく水栓本体１４、具体的には配管接続部２０を容易に製造することができ、しかも内部流路の形状がシンプルな形状をなしているため、給水管３８，給湯管４０からの水，湯を円滑に固定弁体７８における水流入孔９４と湯流入孔９６とに導くことができる。
【００６５】
図１に示しているように、この実施形態では壁１２の裏側に位置決用の凸部１０８が設けられている。
一方配管接続部２０には一対の突出部１１０が設けられていて、それらの間に凹部１１２が形成され、そしてこの凹部１１２と凸部１０８との凹凸嵌合に基づいて配管接続部２０、即ち水栓本体１４が壁１２に対し位置決めされた状態で取り付けられている。
尚、位置決用の凸部を配管接続部２０の側に、また対応する凹部を壁１２の側に設けて、それらを凹凸嵌合させることにより配管接続部２０を壁１２に対し位置決めするようになすことも可能である。
【００６６】
以上のように本実施形態によれば、使用者にとってより操作がし易く使い勝手の良い、レバーハンドル３０が真下位置（真下向きの位置）にある状態で無意識にこれを開操作すると、湯を含まない水のみが吐水され、湯が無駄に消費されるのを防ぐことができる。
【００６７】
また本実施形態によれば、従来同じ高さ位置となしてあった固定弁体７８の水流入孔９４と湯流入孔９６との高さ位置を異ならせた場合であっても、容易に且つ簡単な構造で水流入孔９４，湯流入孔９６に対して水，湯を供給することができる。
【００６８】
その際に給水管３８，給湯管４０を無理にねじった状態で配管施工しなくてもよく、それら給水管３８，給湯管４０がねじれ状態で配管施工され、そのことが施工不良に繋がるといった問題を回避することができる。
【００６９】
また壁１２裏面に設けた凸部１０８と水栓本体１４に設けた凹部１１２とによって、水栓本体１４を取付壁１２に対し予め定めた位置に良好に位置決めした状態で取り付けることができる。
【００７０】
この実施形態の水栓１０ではまた、混合水吐水領域が８０°の広い領域に亘って確保されているため吐水の温度調節操作が容易であり、また低い温度の混合水を吐水させる際の操作も的確に且つ容易に行い得る利点を有している。
【００７１】
図９は本発明の他の実施形態を示している。
上記実施形態では、レバーハンドル３０の左右方向の回動範囲が、レバーハンドル３０が真下向きとなる基準位置Ｘを回動右端として、これから９０°左方向に回動した位置を回動左端とするように設定してあるが、この図９に示す実施形態では、回動可能な角度範囲αを９０°に保ちつつ、回動右端を基準位置Ｘよりも角度θ４だけ右方向にシフトした位置に設定してある。ここではθ４＝θ２／２となしてある。
θ１，θ２，θ３の角度は上記実施形態と同様であり、従ってθ４はθ２＝５°の半分の２．５°である。
このようにレバーハンドル３０の回動範囲の右端を、基準位置Ｘよりも角度θ４だけ右方向の位置としておくことで以下の利点が得られる。
【００７２】
即ち、レバーハンドル３０が真下向きとなる基準位置Ｘから右方向に回動するのが阻止されていると、使用者は水吐水の際の遊びを感じることができないためにストレスを感じる可能性がある。また施工誤差によってレバーハンドル３０が真下向きとなる位置まで回転できない状態となってしまうことも生じ得る。
【００７３】
しかるにこの実施形態によれば、レバーハンドル３０が真下向きとなる位置で水を吐水する際、左右方向に若干の遊び、即ち水吐水領域が基準位置Ｘを中心として左右に一定角度確保してあるため、使用者が水吐水する際のストレスを和らげることができ、またレバーハンドル３０の取付角度に若干の施工誤差が生じたとしても、その施工誤差を吸収してレバーハンドル３０を真下向きとなる位置まで持ち来すことができる。
【００７４】
図１０は本発明の更に他の実施形態を示している。
上記の実施形態では、固定弁体７８における湯流入孔９６の位置が水流入孔９４の位置よりも高位置となしてあるが、この例ではこれとは逆に、水流入孔９４の位置が湯流入孔９６の位置よりも高位置となしてある。
またこれに対応して可動弁体８０における連通開口１００が上記実施形態とは上下逆の向きとなしてある。
この場合、レバーハンドル３０の開操作と閉操作とを上記実施形態とは逆とすることで、レバーハンドル３０が真下向きとなったときに水のみを吐水するようになすことができる。
但しレバーハンドル３０と可動弁体８０との間に運動変換機構を設けることで、上記実施形態と同様にレバーハンドル３０を前方に操作することで開操作を行い、後方に操作することで閉操作をするようになすこともできる。
【００７５】
以上本発明の実施形態を詳述したがこれはあくまで一例示である。
例えば本発明は、ユニットバスルームのカウンタ内部で給水管と給湯管とをカウンタ前板に沿って横方向に配管して、カウンタ前板を取付壁として固定した水栓本体の配管接続部に対して、それら給水管，給湯管を接続する形態の壁付のシングルレバー混合水栓に対しても適用することが可能である。
また上記実施形態の弁カートリッジ２２を脚６６を有していない構成とすることができるし、水栓本体を一体構成で構成するといったことも可能である。
更に上記例示した水吐水領域，湯吐水領域，混合水吐水領域はあくまで一例であって、本発明は他の様々な対応でそれら吐水領域を設定することも可能であるし、水吐水する際のレバーハンドルの操作位置，湯吐水する際のレバーハンドルの操作位置を上例とは異なった位置に設定することも可能である等、本発明はその趣旨を逸脱しない範囲において種々変更を加えた形態で構成可能である。
【符号の説明】
【００７６】
１０  シングルレバー混合水栓
１２  取付壁
１３  取付面
１４  水栓本体
２０  配管接続部
３０  レバーハンドル
３４  水側接続口
３６  湯側接続口
３８  給水管
４０  給湯管
４２，４４，４６  内部流路
５４，５６  流出開口
７８  固定弁体
７９  摺動面
８０  可動弁体
９４  水流入孔
９６  湯流入孔
Ｘ  基準位置
【図１】
2012112183.tif 000003
【図２】
2012112183.tif 000004
【図３】
2012112183.tif 000005
【図４】
2012112183.tif 000006
【図５】
2012112183.tif 000007
【図６】
2012112183.tif 000008
【図７】
2012112183.tif 000009
【図８】
2012112183.tif 000010
【図９】
2012112183.tif 000011
【図１０】
2012112183.tif 000012
【図１１】
2012112183.tif 000013